【事件の表示】
　平成　９年特許願第　　８２９５号「液晶表示装置」拒絶査定不服審判事件〔平成１０年　８月　７日出願公開、特開平１０−２０６８５７〕について、次のとおり審決する。
【結　論】
　本件審判の請求は、成り立たない。
【理　由】
１．手続きの経緯
　本願は、平成９年１月２１日の出願であって、平成１５年５月１４日付で拒絶査定がなされ、これに対し、同年６月１９日に拒絶査定に対する審判請求がなされるとともに、同年７月２２日に手続補正がなされ、平成１７年６月２２日に審尋がなされ、平成１７年８月２９日に回答書が提出されたものである。
　　
２．本件発明
　本件の請求項に係る発明は、平成１５年７月２２日付手続補正書により補正された明細書及び図面の記載からみて、特許請求の範囲の請求項１〜６に記載されたとおりのものであると認められるところ、その請求項１に記載された発明は、次の事項により特定されるとおりのものと認める。
　
「一対の基板と、この一対の基板間に挟持された液晶層とを有する液晶表示装置において、
　前記一対の基板の一方の基板には、この基板に対して支配的に平行な成分を持った電界を前記液晶層に発生させるための複数の電極からなる電極構造及びａ−Ｓｉ膜と、この電極構造及びａ−Ｓｉ膜上に形成された保護膜と、を有し、
　前記保護膜の膜厚は、この保護膜に接する電極の膜厚より０.４μｍ以上厚く、かつ前記保護膜は有機高分子膜であることを特徴とする液晶表示装置。」（以下、「本件発明」という。）
　 
３．引用例記載の発明
 　原査定の理由で引用された引用文献２（特開平７−１５９７８６号公報、以下、「引用例」という。）には、図面と共に、次の事項が記載されている。
　　
ａ．「【請求項１】表示画素が、電極により基板上に構成され、該基板には液晶の配向膜が直接又は絶縁膜を介して形成されており、
　該基板は、配向膜を形成した基板と対向して配置され、
　該基板により液晶層が挟持され、
　該電極は、基板と概略平行な電界を発生するように構成され、
　該電極は、外部の制御手段と接続されており、
　該液晶層の光学特性を変化させる偏光手段を備えた液晶表示装置であって、
　図形を３０分間表示し、表示部を消去してから、該表示部と非表示部が識別できなくなるまでの時間が５分以内であることを特徴とする液晶表示装置。」
　　
ｂ．「【請求項１４】配向膜及び絶縁膜が共に有機物で構成されることを特　徴とする請求項１から４のいずれかに記載の液晶表示装置。」
　
ｃ．「【０００５】本発明の目的は、横電界方式において、残像の少ない高表示品質の液晶表示装置を提供することにある。」
　 
ｄ．「【００１０】・・・。また、絶縁膜とは電気的な絶縁をする膜であるが、電極を保護する機能も持つことが可能である。」 
　
ｅ．「【００２８】図１（ａ),（ｂ）は本発明の液晶パネル内での液晶の動作を示す側断面を、図１（ｃ),（ｄ）はその正面図を表す。図１ではアクティブ素子を省略してある。また、本発明ではストライプ状の電極を構成して複数の画素を形成するが、ここでは一画素の部分を示した。電圧無印加時のセル側断面を図１（ａ）に、その時の正面図を図１（ｃ）に示す。透明な一対の基板の内側に線状の信号電極３，画素電極４、及び共通電極５が形成され、その上に絶縁膜７が付設され、さらに配向膜８が塗布及び配向処理されている。基板間には液晶組成物が挟持されている。・・・」
　
ｆ．「【００５９】〔実施例４〕図５は本発明の単位画素における各種電極の構造を示した第３の例である。薄膜トランジスタ１５は画素電極４，信号電極３，走査電極１３及びアモルファスシリコン膜１４から構成される。共通電極５は走査電極１３と同層とし、同一の金属をパターン化した。また、画素電極４と信号電極３も同一金属層でパターン化して構成した。・・・」　
ｇ．「【００８９】〔実施例１３〕実施例４と同様な電極構造とし、アクティブマトリクス駆動した。」
　
ｈ．「【０１０５】〔実施例１８〕本実施例の構成は下記の要件を除けば、実施例１３と同一である。
　　　【０１０６】本実施例では絶縁膜としてエポキシ樹脂を使用し、絶縁膜の膜厚を１.８μｍとした。さらに、配向膜として２，２−ビス［４−（ｐ−アミノフェノキシ）フェニルプロパン］とピロメリット酸二無水物からなるポイミド系配向膜を使用し、その膜厚を０.５μｍ とした。したがって、絶縁膜と配向膜の膜厚は合わせて２.３μｍ とした。
　　　【０１０７】このようにして得られたアクティブマトリクス型液晶表示装置の残像は・・・。」
　
４．対比・判断
４.１　対比
　引用例には、一対の基板と、この一対の基板間に挟持された液晶層とを有する液晶表示装置（摘記事項ｅ、【図１】）であって、前記一対の基板の一方の基板には、この基板に対して支配的に平行な成分を持った電界を前記液晶層に発生させるための複数の電極からなる電極構造及びａ−Ｓｉ膜と、この電極構造及びａ−Ｓｉ膜上に形成された絶縁膜と配向膜を有する液晶表示装置（摘記事項ｆ、【図５】）が記載されており、また、特に実施例１８（摘記事項ｈ）には、前記「絶縁膜」として「膜厚１．８μｍのエポキシ樹脂」が、前記「配向膜」として「膜厚０．５μｍのポリイミド樹脂」が、それぞれ使用されてなる液晶表示装置が記載されている。
　
　したがって、特に実施例１８を参照すると、引用例には、「一対の基板と、この一対の基板間に挟持された液晶層とを有する液晶表示装置であって、前記一対の基板の一方の基板には、この基板に対して支配的に平行な成分を持った電界を前記液晶層に発生させるための複数の電極からなる電極構造及びａ−Ｓｉ膜と、この電極構造及びａ−Ｓｉ膜上に形成された絶縁膜と配向膜を有する液晶表示装置であって、前記絶縁膜は膜厚１．８μｍのエポキシ樹脂であり、前記配向膜は膜厚０．５μｍのポリイミド樹脂である液晶表示装置」（以下、「引用例発明」という。）が記載されていると認められる。　
　そこで、本件発明と引用例発明とを対比すると、両者は、「一対の基板と、この一対の基板間に挟持された液晶層とを有する液晶表示装置において、　前記一対の基板の一方の基板には、この基板に対して支配的に平行な成分を持った電界を前記液晶層に発生させるための複数の電極からなる電極構造及びａ−Ｓｉ膜、を有することを特徴とする液晶表示装置。」の点で一致し、次の点で一応相違する。
　
［相違点］：本件発明が、前記電極構造及びａ−Ｓｉ膜上に「保護膜」を有するとし、また「保護膜の膜厚は、この保護膜に接する電極の膜厚より０.４μｍ以上厚く、かつ前記保護膜は有機高分子膜である」と規定しているのに対し、引用例発明は、電極構造及びａ−Ｓｉ膜上に「保護膜」ではなく、「エポキシ樹脂からなる絶縁膜とポリイミドからなる配向膜」を有するとし、したがって「保護膜の膜厚」及び「保護膜の組成」について規定していない点。
　　　
４.２　判断
　上記相違点について検討すると、
　引用例において、「絶縁膜」は「電極を保護する機能も持つ」（摘記事項ｄ）とされていること、また、本件明細書では「保護膜にはエポキシ系ポリマとポリイミド系ポリマなどが用いられ、特にポリイミド系ポリマを用いると保護膜と配向膜を兼用できる」（本件明細書【００２４】〜【００２５】）とされていることからみて、引用例発明の「エポキシ樹脂の絶縁膜（膜厚１．８μｍ）」と、「ポリイミド樹脂の配向膜（膜厚０．５μｍ）」とを足し合わせたものが、本件発明の「保護膜」に他ならないものと認められ、また、エポキシ樹脂膜とポリイミド樹脂膜は共に有機高分子膜であって、それらの膜厚の合計は２．３μｍである。　
　一方、引用例発明における「保護膜に接する電極の膜厚」は、「エポキシ樹脂の絶縁膜（膜厚１．８μｍ）」より薄いから（引用例【図５】の電極３と絶縁膜７のそれぞれの厚さを参照）、「電極の膜厚」は１．８μｍ未満であることは明らかであり、したがって、引用例発明におけるエポキシ樹脂膜とポリイミド樹脂膜からなる膜（本件発明の「保護膜」に該当。）の膜厚（２．３μｍ）は、この保護膜に接する「電極の膜厚」より、０.５μｍ以上厚いと云える。
　　
　そうすると、引用例発明は、「電極構造及びａ−Ｓｉ膜上に形成された保護膜を有し、前記保護膜の膜厚は、この保護膜に接する電極の膜厚より
０.５μｍ以上
　
　なお、請求人は、上記回答書において、「本願の請求項で保護膜の厚さを規定する場合は、保護膜のみでの厚さを規定しており、従って、引用文献２の実施例１８（引用例発明）は、本願の内容を含んでいるとは言えない。」旨主張している（回答書２頁２．）。
　しかしながら、前述したように、本件明細書では、「本実施例の特徴は保護膜に有機高分子膜を用いたことである。・・・本実施例の有機高分子の材料には・・・エポキシ系ポリマ、ポリイミド系ポリマなどを用いることができる。特にポリイミド系ポリマを用いると保護膜と配向膜を兼用できる」（【００２４】〜【００２５】）と説明されており、これによれば、引用例発明の「エポキシ樹脂からなる絶縁膜とポリイミドからなる配向膜」は何れも「保護膜」の機能を有することは明らかであって、これに反する請求人の主張は妥当なものとは云えない。　
　
　また、審判請求書等において、請求人は、引用例と本件発明との相違点について検討しており、その際、特許法第２９条第１項第３号の同一性を含めて検討していることは明らかである。
 　 
５．むすび 
 　したがって、本件発明は、引用例に記載された発明であり、特許法第２９条第１項第３号の規定に該当し、特許を受けることができない。
 　よって、結論のとおり審決する。